【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
クライアントコンピュータと通信可能なプリントサーバ装置としての出力制御装置であって、
複数の出力装置から仕様情報を取得する仕様情報取得手段と、
前記クライアントコンピュータによる出力データの出力条件の設定内容に基づき、前記仕様情報取得手段により取得される仕様情報の所定項目について合成した仕様情報を作成する合成仕様情報作成手段と、
前記合成仕様情報作成手段により作成される合成仕様情報を、前記出力データの出力指示を設定する前記クライアントコンピュータに送信する合成仕様情報送信手段とを有することを特徴とする出力制御装置。
【請求項２】
前記クライアントコンピュータによる出力データの出力条件の設定内容に基づき、前記複数の出力装置から当該出力条件に該当する出力装置を検索する出力装置検索手段を有し、
前記使用情報取得手段は、前記出力装置検索手段により検索される各出力装置から使用情報を取得することを特徴とする請求項１に記載の出力制御装置。
【請求項３】
前記出力装置検索手段は、前記出力条件に基づいて前記複数の出力装置から特定の一種類の出力装置または特定数の出力装置または特定の複数種類の出力装置を検索することを特徴とする請求項２に記載の出力制御装置。
【請求項４】
前記合成仕様情報作成手段は、前記出力装置検索手段により検索される各出力装置の仕様情報における出力部数、ソータビン数、用紙の種類、ステープル機能、フォントの種類、両面機能、製本機能、折り機能、穴あけ機能、糊付け機能、封筒詰め機能および／または親展用箱投入機能について合成した合成仕様情報を作成することを特徴とする請求項１に記載の出力制御装置。
【請求項５】
前記クライアントコンピュータからの前記出力データの出力指示を受けて、前記出力装置検索手段により検索された出力装置の全部又は一部の出力装置に対して前記出力データの分散出力制御を行う出力制御手段を有することを特徴とする請求項２に記載の出力制御装置。
【請求項６】
前記出力制御手段の分散出力制御により該当する出力装置で前記出力データの分散出力がなされた後、当該分散出力による出力結果を前記クライアントコンピュータに送信する出力結果送信手段を有することを特徴とする請求項５に記載の出力制御装置。
【請求項７】
複数の出力装置を管理する出力制御装置と通信可能なクライアントコンピュータとしての情報処理装置であって、
出力データの出力条件を設定する出力条件設定手段と、
複数の出力装置を管理する出力制御装置が当該複数の出力装置から前記出力条件に該当する出力装置を検索し、当該検索される各出力装置から仕様情報を取得し、当該取得される仕様情報の所定項目について合成した仕様情報を作成させるために、前記出力条件設定手段にて設定される前記出力条件を前記出力制御装置に送信する出力条件送信手段と、
前記出力制御装置にて作成された合成仕様情報を受信する合成仕様情報受信手段と、
前記合成仕様情報受信手段により受信する前記合成仕様情報に基づく前記出力データの出力指示内容を設定する出力指示設定手段とを有することを特徴とする情報処理装置。
【請求項８】
前記出力指示設定手段は、特定の一種類の出力装置または特定数の出力装置または特定の複数種類の出力装置で前記出力データを出力させることを前記出力条件として設定することを特徴とする請求項７に記載の情報処理装置。
【請求項９】
前記合成仕様情報受信手段は、前記出力制御装置により検索される各出力装置の仕様情報における出力部数、ソータビン数、用紙の種類、ステープル機能、フォントの種類、両面機能、製本機能、折り機能、穴あけ機能、糊付け機能、封筒詰め機能および／または親展用箱投入機能について合成された合成仕様情報を受信することを特徴とする請求項７に記載の情報処理装置。
【請求項１０】
請求項１〜６の何れか１項に記載の出力制御装置と、請求項７〜９の何れか１項に記載の情報処理装置とを有することを特徴とする出力装置管理システム。
【請求項１１】
クライアントコンピュータと通信可能なプリントサーバ装置としての出力制御装置による出力装置管理方法であって、
複数の出力装置から仕様情報を取得する仕様情報取得ステップと、
前記クライアントコンピュータによる出力データの出力条件の設定内容に基づき、前記仕様情報取得ステップにより取得される仕様情報の所定項目について合成した仕様情報を作成する合成仕様情報作成ステップと、
前記合成仕様情報作成ステップにより作成される合成仕様情報を、前記出力データの出力指示を設定する前記クライアントコンピュータに送信する合成仕様情報送信ステップとを含むことを特徴とする出力装置管理方法。
【請求項１２】
前記クライアントコンピュータによる出力データの出力条件の設定内容に基づき、前記複数の出力装置から当該出力条件に該当する出力装置を検索する出力装置検索ステップを含み、
前記使用情報取得ステップでは、前記出力装置検索ステップにより検索される各出力装置から使用情報を取得することを特徴とする請求項１１に記載の出力装置管理方法。
【請求項１３】
前記出力装置検索ステップでは、前記出力条件に基づいて前記複数の出力装置から特定の一種類の出力装置または特定数の出力装置または特定の複数種類の出力装置を検索することを特徴とする請求項１２に記載の出力装置管理方法。
【請求項１４】
前記合成仕様情報作成ステップでは、前記出力装置検索ステップにより検索される各出力装置の仕様情報における出力部数、ソータビン数、用紙の種類、ステープル機能、フォントの種類、両面機能、製本機能、折り機能、穴あけ機能、糊付け機能、封筒詰め機能および／または親展用箱投入機能について合成した合成仕様情報を作成することを特徴とする請求項１１に記載の出力装置管理方法。
【請求項１５】
前記クライアントコンピュータからの前記出力データの出力指示を受けて、前記出力装置検索ステップにより検索された出力装置の全部又は一部の出力装置に対して前記出力データの分散出力制御を行う出力制御ステップを含むことを特徴とする請求項１２に記載の出力装置管理方法。
【請求項１６】
前記出力制御ステップにおける分散出力制御により該当する出力装置で前記出力データの分散出力がなされた後、当該分散出力による出力結果を前記クライアントコンピュータに送信する出力結果送信ステップを含むことを特徴とする請求項１５に記載の出力装置管理方法。
【請求項１７】
複数の出力装置を管理する出力制御装置と通信可能なクライアントコンピュータとしての情報処理装置による出力装置管理方法であって、
出力データの出力条件を設定する出力条件設定ステップと、
複数の出力装置を管理する出力制御装置が当該複数の出力装置から前記出力条件に該当する出力装置を検索し、当該検索される各出力装置から仕様情報を取得し、当該取得される仕様情報の所定項目について合成した仕様情報を作成させるために、前記出力条件設定ステップにて設定される前記出力条件を前記出力制御装置に送信する出力条件送信ステップと、
前記出力制御装置にて作成された合成仕様情報を受信する合成仕様情報受信ステップと、
前記合成仕様情報受信ステップにより受信する前記合成仕様情報に基づく前記出力データの出力指示内容を設定する出力指示設定ステップとを含むことを特徴とする出力装置管理方法。
【請求項１８】
前記出力指示設定ステップでは、特定の一種類の出力装置または特定数の出力装置または特定の複数種類の出力装置で前記出力データを出力させることを前記出力条件として設定することを特徴とする請求項１７に記載の出力装置管理方法。
【請求項１９】
前記合成仕様情報受信ステップでは、前記出力制御装置により検索される各出力装置の仕様情報における出力部数、ソータビン数、用紙の種類、ステープル機能、フォントの種類、両面機能、製本機能、折り機能、穴あけ機能、糊付け機能、封筒詰め機能および／または親展用箱投入機能について合成された合成仕様情報を受信することを特徴とする請求項１７に記載の出力装置管理方法。
【請求項２０】
請求項１〜６の何れか１項に記載の出力制御装置、請求項７〜９の何れか１項に記載の情報処理装置、又は、請求項１０に記載の出力装置管理システムの各手段としてコンピュータを機能させるためのプログラムを記録したことを特徴とするコンピュータ読み取り可能な記録媒体。
【請求項２１】
請求項１１〜１９の何れか１項に記載の出力装置管理方法の処理ステップをコンピュータに実行させるためのプログラムを記録したことを特徴とするコンピュータ読み取り可能な記録媒体。
【請求項２２】
請求項１〜６の何れか１項に記載の出力制御装置、請求項７〜９の何れか１項に記載の情報処理装置、又は、請求項１０に記載の出力装置管理システムの各手段としてコンピュータを機能させるためのプログラム。
【請求項２３】
請求項１１〜１９の何れか１項に記載の出力装置管理方法の処理ステップをコンピュータに実行させるためのプログラム。
【手続補正２】
【補正対象書類名】明細書
【補正対象項目名】０００６
【補正方法】変更
【補正の内容】
【０００６】
【課題を解決するための手段】
かかる目的を達成するために、本発明の出力制御装置は、クライアントコンピュータと通信可能なプリントサーバ装置としての出力制御装置であって、複数の出力装置から仕様情報を取得する仕様情報取得手段と、前記クライアントコンピュータによる出力データの出力条件の設定内容に基づき、前記仕様情報取得手段により取得される仕様情報の所定項目について合成した仕様情報を作成する合成仕様情報作成手段と、前記合成仕様情報作成手段により作成される合成仕様情報を、前記出力データの出力指示を設定する前記クライアントコンピュータに送信する合成仕様情報送信手段とを有することを特徴とする。


【手続補正３】
【補正対象書類名】明細書
【補正対象項目名】０００７
【補正方法】変更
【補正の内容】
【０００７】
本発明の情報処理装置は、複数の出力装置を管理する出力制御装置と通信可能なクライアントコンピュータとしての情報処理装置であって、出力データの出力条件を設定する出力条件設定手段と、複数の出力装置を管理する出力制御装置が当該複数の出力装置から前記出力条件に該当する出力装置を検索し、当該検索される各出力装置から仕様情報を取得し、当該取得される仕様情報の所定項目について合成した仕様情報を作成させるために、前記出力条件設定手段にて設定される前記出力条件を前記出力制御装置に送信する出力条件送信手段と、前記出力制御装置にて作成された合成仕様情報を受信する合成仕様情報受信手段と、前記合成仕様情報受信手段により受信する前記合成仕様情報に基づく前記出力データの出力指示内容を設定する出力指示設定手段とを有することを特徴とする。


【手続補正４】
【補正対象書類名】明細書
【補正対象項目名】０００８
【補正方法】変更
【補正の内容】
【０００８】
本発明の出力装置管理システムは、前記出力制御装置と前記情報処理装置とを有することを特徴とする。


【手続補正５】
【補正対象書類名】明細書
【補正対象項目名】０００９
【補正方法】変更
【補正の内容】
【０００９】
本発明の出力装置管理方法は、クライアントコンピュータと通信可能なプリントサーバ装置としての出力制御装置による出力装置管理方法であって、複数の出力装置から仕様情報を取得する仕様情報取得ステップと、前記クライアントコンピュータによる出力データの出力条件の設定内容に基づき、前記仕様情報取得ステップにより取得される仕様情報の所定項目について合成した仕様情報を作成する合成仕様情報作成ステップと、前記合成仕様情報作成ステップにより作成される合成仕様情報を、前記出力データの出力指示を設定する前記クライアントコンピュータに送信する合成仕様情報送信ステップとを含むことを特徴とする。


【手続補正６】
【補正対象書類名】明細書
【補正対象項目名】００１０
【補正方法】変更
【補正の内容】
【００１０】
本発明の出力装置管理方法の他の態様は、複数の出力装置を管理する出力制御装置と通信可能なクライアントコンピュータとしての情報処理装置による出力装置管理方法であって、出力データの出力条件を設定する出力条件設定ステップと、複数の出力装置を管理する出力制御装置が当該複数の出力装置から前記出力条件に該当する出力装置を検索し、当該検索される各出力装置から仕様情報を取得し、当該取得される仕様情報の所定項目について合成した仕様情報を作成させるために、前記出力条件設定ステップにて設定される前記出力条件を前記出力制御装置に送信する出力条件送信ステップと、前記出力制御装置にて作成された合成仕様情報を受信する合成仕様情報受信ステップと、前記合成仕様情報受信ステップにより受信する前記合成仕様情報に基づく前記出力データの出力指示内容を設定する出力指示設定ステップとを含むことを特徴とする。


【手続補正７】
【補正対象書類名】明細書
【補正対象項目名】００１１
【補正方法】変更
【補正の内容】
【００１１】
本発明のコンピュータ読み取り可能な記録媒体は、前記出力制御装置、前記情報処理装置、又は、前記出力装置管理システムの各手段としてコンピュータを機能させるためのプログラムを記録したことを特徴とする。


【手続補正８】
【補正対象書類名】明細書
【補正対象項目名】００１２
【補正方法】変更
【補正の内容】
【００１２】
本発明のコンピュータ読み取り可能な記録媒体の他の態様は、前記出力装置管理方法の処理ステップをコンピュータに実行させるためのプログラムを記録したことを特徴とする。


【手続補正９】
【補正対象書類名】明細書
【補正対象項目名】００１３
【補正方法】変更
【補正の内容】
【００１３】
本発明のプログラムは、前記出力制御装置、前記情報処理装置、又は、前記出力装置管理システムの各手段としてコンピュータを機能させることを特徴とする。


【手続補正１０】
【補正対象書類名】明細書
【補正対象項目名】００１４
【補正方法】変更
【補正の内容】
【００１４】
本発明のプログラムの他の態様は、前記出力装置管理方法の処理ステップをコンピュータに実行させることを特徴とする。


【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】
【手続補正７２】
【補正対象書類名】明細書
【補正対象項目名】００７６
【補正方法】削除
【補正の内容】
【手続補正７３】
【補正対象書類名】明細書
【補正対象項目名】００７７
【補正方法】削除
【補正の内容】
【手続補正７４】
【補正対象書類名】明細書
【補正対象項目名】００７８
【補正方法】削除
【補正の内容】
【手続補正７５】
【補正対象書類名】明細書
【補正対象項目名】００７９
【補正方法】削除
【補正の内容】
【手続補正７６】
【補正対象書類名】明細書
【補正対象項目名】００８０
【補正方法】削除
【補正の内容】
【手続補正７７】
【補正対象書類名】明細書
【補正対象項目名】００８１
【補正方法】削除
【補正の内容】
【手続補正７８】
【補正対象書類名】明細書
【補正対象項目名】００８２
【補正方法】削除
【補正の内容】
【手続補正７９】
【補正対象書類名】明細書
【補正対象項目名】０１１９
【補正方法】変更
【補正の内容】
【０１１９】
【発明の効果】
本発明によれば、クライアントコンピュータにより設定された出力条件に適した出力装置についての合成仕様情報が作成され、出力データの出力指示を設定する外部装置に送信されるので、クライアントコンピュータ上では合成仕様情報に基づく出力指示を設定することが可能となり、複数の出力装置が有する資源を最大限に活用することができる。